(57)【要約】【課題】物品の忘れ物検出および盗難検出のための装置を提供する。【解決手段】複数のマスターキーと、それぞれのマスターキーに対応するひとつもしくは複数のサブキーから構成されるRFIDタグと、RFIDタグからキー情報を収集するRFIDタグ読取部と、読み取ったキー情報を分析して、マスターキーに対応するサブキーが無いケースを忘れ物と判断し、サブキーに対応するマスターキーが無いケースを盗難と判断するキー情報照合部と、忘れ物あるいは盗難を検出したときに、それを通報する忘れ物・盗難通報部とを備え、所有者が常に携行するとは限らない物品であっても、物品の携行忘れ（忘れ物）や物品の盗難を容易に発見することができる。【選択図】  図１
2011238037.tif 000002
【特許請求の範囲】
【請求項１】
忘れ物・盗難検出装置と、RFIDタグとからなる盗難検出装置であって、
前記RFIDタグは、
複数のマスターキーと、それぞれのマスターキーに対応するひとつもしくは複数のサブキーから構成され、
前記忘れ物・盗難検出装置は、
前記RFIDタグからキー情報を収集するRFIDタグ読取部と、
該RFIDタグ読取部が読み取ったキー情報を分析して、マスターキーに対応するサブキーが無いケースを忘れ物と判断し、サブキーに対応するマスターキーが無いケースを盗難と判断するキー情報照合部と、
該キー情報照合部が、忘れ物あるいは盗難を検出したときに、その検出の旨を通報する忘れ物・盗難通報部と
を備えることを特徴とする盗難検出装置。
【請求項２】
請求項１記載の盗難検出装置であって、
前記RFIDタグは、
キーを識別するためのキー番号と、マスターキーかサブキーかを識別するキー種別とマスターキーに割り当てられたサブキーの個数とから構成される
ことを特徴とする盗難検出装置。
【発明の詳細な説明】
【技術分野】
【０００１】
本発明は、物品の忘れ物検出および盗難検出に関する。
【背景技術】
【０００２】
特許文献１には、携行する物品の置き忘れや盗難を防止するための技術として、携行する物品にＲＦＩＤ（Radio Frequency Identification）タグなどの無線機能を有するタグを取り付けて、物品を携行するユーザが所持しているＲＦＩＤタグ読み取り装置との間で交信をやり取りすることによって、物品の置き忘れや盗難を防止するシステムが開示されている。
【０００３】
特許文献２には、本体装置と通信可能である複数の周辺装置に設けられたＲＦＩＤタグに格納されているキー情報と、ユーザのキー情報とを収集し、収集した各キー情報から合成キー情報を生成し、この合成キー情報を用いて周辺装置の制御を行うため、ユーザを含めたすべての周辺装置が揃わないとシステムの操作を行うことが出来ない盗難防止システムが提示されている。
【先行技術文献】
【特許文献】
【０００４】
【特許文献１】特開２００７−３２８５２７号公報
【特許文献２】特開２００８−２８２２２５号公報
【発明の概要】
【発明が解決しようとする課題】
【０００５】
盗難防止あるいは忘れ物を防止したい対象物は、必ずしも常に携行する物のみが対象となるわけではない。たとえば通勤・通学等で使用する「自転車」を駅の駐輪場に預ける場合や、航空機を利用する旅行では、機内に持ち込めない「手荷物」は航空会社に一旦預け、目的地に到着した時点で受け取る場合があり、預けてから引き取るあるいは受け取るまでの間は、正当な持ち主が近くにいないのが一般的である。しかしながら特許文献１に記載された技術は、常に携行していることを前提にした物品を対象物としているため、「自転車」や「手荷物」のように、持ち主の手から一旦離れるのが前提となる物品に対しての適用ができないという問題がある。
また、特許文献２に記載された技術は、情報処理機器に関連した技術であり、物理的な「鍵」を破壊すれば使用できるような「自転車」や、物理的な「外装」を取り除けば中身の物品を取り出せてしまう「手荷物」へは適用できないという問題がある。
本発明の目的は、所有者が常に携行するとは限らない物品であっても、物品の携行忘れ（忘れ物）や物品の盗難を容易に発見する装置を提供することにある。
【課題を解決するための手段】
【０００６】
本発明の忘れ物検出方法および盗難検出方法は、複数のマスターキーと、それぞれのマスターキーに対応するひとつもしくは複数のサブキーから構成されるRFIDタグと、RFIDタグからキー情報を収集するRFIDタグ読取部と、読み取ったキー情報を分析して、マスターキーに対応するサブキーが無いケースを忘れ物と判断し、サブキーに対応するマスターキーが無いケースを盗難と判断するキー情報照合部と、忘れ物あるいは盗難を検出したときに、それを通報する忘れ物・盗難通報部とを備える。
【発明の効果】
【０００７】
本発明の盗難検出装置によれば、所有者が常に携行するとは限らない物品であっても、物品の携行忘れ（忘れ物）や物品の盗難を容易に発見することができる。
【図面の簡単な説明】
【０００８】
【図１】本発明の盗難検出装置について、その全体構成を示す概略図である。
【図２】本発明の盗難検出装置の構成要素である、RFIDタグ２０１の構成を概略的に示す構成図である。
【図３】図１に示すRFIDタグ読取結果テーブル１０４の構成を示すテーブル構成図である。
【図４】図１に示すマスターキー情報テーブル１０６の構成を示すテーブル構成図である。
【図５】図１に示すキー情報照合部１０５で動作する、マスターキー抽出処理５０１の動作を示すフローチャートである。
【図６】図１に示すキー情報照合部１０５で動作する、サブキー抽出処理６０１の動作を示すフローチャートである。
【図７】図１に示すキー情報照合部１０５で動作する、忘れ物検出処理７０１の動作を示すフローチャートである。
【図８】図１に示すキー情報照合部１０５で動作する、盗難検出処理８０１の動作を示すフローチャートである。
【発明を実施するための形態】
【０００９】
以下、添付図面を参照しつつ、本発明の盗難検出装置の実施形態を詳細に説明する。
【００１０】
図１から図８までは、本発明の実施形態を例示する図であり、これらの図において、同一の符号を付した部分は同一物を表わし、基本的な構成及び動作は同様であるものとする。
【００１１】
図１は、本発明の実施形態にかかる盗難検出装置について、その全体構成を示す概略図である。
【００１２】
図１において、本実施形態の盗難検出装置は、忘れ物・盗難検出装置１０１とRFIDタグ２０１から構成される。忘れ物・盗難検出装置１０１を制御する装置制御部１０２と、忘れ物・盗難検出装置周辺のRFIDタグ２０１の情報を読み取るRFIDタグ読取部１０３と、読み取った複数のRFIDタグの各種情報を格納するRFIDタグ読取結果テーブル１０４と、読み取った複数のRFIDタグのキー情報を照合するキー情報照合部１０５と、読み取った複数のRFIDタグからマスターキーとそれに対応するサブキーの情報を格納するマスターキー情報テーブル１０６と、忘れ物あるいは盗難を検出したときに動作する忘れ物・盗難通報部１０７とから構成される。
【００１３】
図２は、図１の盗難検出装置の構成要素であるRFIDタグ２０１の構成を示す図である。RFIDタグ２０１は、キー番号２０２、キー種別２０３、サブキー個数２０４から構成される。キー種別２０３は、マスターキーと複数個のサブキーから構成され、図２の実施例では、サブキーとして第１サブキーと第２サブキーの２個から構成される実施例を示している。また、サブキー個数２０４は、マスターキーに対するサブキーの個数が情報として格納されるエリアである。
【００１４】
図１の実施形態では、マスターキー番号「A」と、それに対応するサブキー２個、およびマスターキー番号「B」とそれに対応するサブキー２個のうち、RFID１０８（マスターキーA）とRFID１１０（マスターキー番号「A」の第２サブキー）とRFID１１２（マスターキー番号「B」の第１サブキー）とRFID１１３（マスターキー番号「B」の第２サブキー）が忘れ物・盗難検出装置１０１の周辺に存在し、RFIDタグ読取部１０３からの読み取りが可能な状態を具体例として示している。また、RFID１０９（マスターキー番号「A」の第１サブキー）とRFID１１１（マスターキーB）が忘れ物・盗難検出装置１０１の周辺に存在しない、つまりRFIDタグ読取部１０３からの読み取りができない状態を具体例として図示したものである。
【００１５】
図３は、図１の忘れ物・盗難検出装置１０１の構成要素であるRFIDタグ読取結果テーブル１０４の構成を示すテーブル構成図であり、キー番号２０２、キー種別２０３、サブキー個数２０４を格納するエリアと、RFID読取結果をもとに、後述するマスターキー抽出処理５０１あるいはサブキー抽出処理６０１で何らかの処理を実施したか否かを記憶する処理済表示３０１とから構成される。忘れ物・盗難検出装置１０１の周辺に存在するRFIDタグは、定期的にRFIDタグ読取部１０３による読み取りが実施され、読取結果がRFIDタグ読取結果テーブル１０４に格納され、キー情報照合部１０５に制御がわたる。図１の具体的実施例で示すケースでは、図３のRFIDタグ読取結果テーブル１０４には、マスターキーA（３０２）と、マスターキーAの第２サブキー（３０３）と、マスターキーBの第１サブキー（３０４）とマスターキーBの第２サブキー（３０５）の４つのキーが読取結果として格納されている例を示している。
【００１６】
図４は、図１の忘れ物・盗難検出装置１０１の構成要素であるマスターキー情報テーブル１０６の構成を示すテーブル構成図であり、キー番号２０２、キー種別２０３、サブキー個数２０４から構成される。
【００１７】
図５は、図１の忘れ物・盗難検出装置１０１の、キー情報照合部１０５で実施されるマスターキー抽出処理の動作を示すフローチャートである。キー情報照合部１０５では、まず図５のマスターキー抽出処理５０１を実施する。マスターキー抽出処理５０１は、ＲＦＩＤタグ読取結果テーブル１０４からテーブル先頭のＲＦＩＤタグ読取結果を抽出し（ステップ５０２）、マスターキーか否かを判定する（ステップ５０３）。ステップ５０３の判定でマスターキーと判定されると、マスターキー情報テーブル１０６にマスターキー情報をセーブ（４０１）し（ステップ５０４）、ＲＦＩＤタグ読取結果テーブル１０４の処理済表示３０１に”１（処理済）”を設定（３０２）する（ステップ５０５）。ステップ５０６でＲＦＩＤタグ読取結果テーブル１０４の最終データか判定し、次のデータ有りの場合、ＲＦＩＤタグ読取結果テーブル１０４から、次のＲＦＩＤタグ読取結果を抽出し（ステップ５０７）、ステップ５０３以降の処理を繰り返す。ステップ５０３のマスターキーか否かの判定で、サブキーと判定されると、ステップ５０６でＲＦＩＤタグ読取結果テーブル１０４の最終データか判定し、最終データの場合、マスターキー抽出処理５０１を終了する（ステップ５０８）。図１の具体的実施例では、RFIDタグ読取結果テーブル１０４に格納されているマスターキーは「A」のみであり、マスターキー抽出処理５０１の処理結果として、マスターキー情報テーブル１０６には、キー番号A・キー種別マスターキー・サブキー個数２というRFID読取結果４０１が格納される。
【００１８】
次にキー情報照合部１０５では、図６のサブキー抽出処理６０１を実施する。サブキー抽出処理６０１は、マスターキー情報テーブル１０６から、抽出されたマスターキー情報を取得し（ステップ６０２）、ＲＦＩＤタグ読取結果テーブル１０４から、テーブル先頭のＲＦＩＤタグ読取結果を抽出し（ステップ６０３）、サブキーか否かの判定を行う（ステップ６０４）。ステップ６０４でサブキーと判定されると、キー番号がステップ６０２で抽出したマスターキー番号と一致するか判定し（ステップ６０５）、一致する場合、マスターキー情報テーブル１０６にサブキー情報をセーブ（４０２）し（ステップ６０６）、ＲＦＩＤタグ読取結果テーブル１０４の処理済表示３０１に”１（処理済）”を設定（３０３）し（ステップ６０７）、ＲＦＩＤタグ読取結果テーブル１０４の最終データか判定する（ステップ６０８）。ステップ６０８で次のデータ有りと判定されると、ＲＦＩＤタグ読取結果テーブル１０４から、次のキー番号２０２を抽出し（ステップ６０９）、ステップ６０４以降の処理を繰り返す。ステップ６０４のサブキーか否かの判定でマスターキーと判定された場合、およびステップ６０５のマスターキー番号が一致するか否かの判定で不一致と判定された場合は、次のキーの処理を行うため、ステップ６０８を実施する。ステップ６０８で最終データと判定されると、サブキー抽出処理６０１を終了する（ステップ６１０）。図１の具体的実施例で、図６のサブキー抽出処理６０１が終了した段階では、マスターキーBが周辺に存在しないため、図３のRFID読取結果テーブル１０４には、マスターキーBの第１サブキー３０４と、マスターキーBの第２サブキー３０５の処理済表示３０１には、処理済表示が設定されないままの状態となる。
【００１９】
次にキー情報照合部１０５では、図７の忘れ物検出処理７０１を実施する。忘れ物検出処理７０１は、マスターキー情報テーブル１０６から、サブキー個数を抽出し（ステップ７０２）、マスターキー情報テーブル１０６に登録されたサブキーの個数をカウントし（ステップ７０３）、サブキーの個数が一致するか判定する（ステップ７０４）。ステップ７０４の判定で、サブキーの個数が不一致の場合は忘れ物・盗難通報部１０７から、「忘れ物」があることを通報し（ステップ７０５）、忘れ物検出処理７０１を終了する（ステップ７０６）。ステップ７０３の判定でサブキーの個数が一致する場合、忘れ物検出処理７０１を終了する（ステップ７０６）。図１の具体的実施例では、RFIDタグ読取結果テーブル１０４に格納されているマスターキーAのサブキーは第２サブキー３０３のみであり、忘れ物検出処理７０１の処理結果として、マスターキー情報テーブル１０６には、キー番号A・キー種別第２サブキーというRFID読取結果４０２が格納されており、マスターキーAの第１サブキーが無いこと、つまり「忘れ物」があることが忘れ物・盗難通報部１０７から通報される（ステップ７０４，７０５）。ただし、図７の忘れ物検出処理７０１は、監視対象物品によって、実施するか実施しないかが変わってくる。たとえば、持ち主の手から一旦離れるのが前提となる、「駐輪場」に「自転車」を預けるケースに本発明を適用する場合には、自転車を預けて駐輪場から出る時および駐輪場に自転車を取りに入る時は、マスターキーしかない状態であり、このようなケースでは忘れ物検出処理７０１は実施しない。これに対し、たとえば自宅から外出する時の携帯必須物品のチェックに本発明を適用するケースでは、忘れ物検出処理７０１を実施する。
【００２０】
次にキー情報照合部１０５では、図８の盗難検出処理８０１を実施する。盗難検出処理８０１は、ＲＦＩＤタグ読取結果テーブル１０４から、テーブル先頭の処理済表示３０１を抽出し（ステップ８０２）、処理済か判定する（ステップ８０３）。ステップ８０３の判定処理で未処理と判定されると、忘れ物・盗難通報部１０７から、「盗難」があることを通報し（ステップ８０６）、ＲＦＩＤタグ読取結果テーブル１０４の最終データか判定する（ステップ８０４）。次のキーが有る場合は、ＲＦＩＤタグ読取結果テーブル１０４から、次のキーの処理済表示３０１を抽出し（ステップ８０５）、ステップ８０３以降の処理を繰り返す。ステップ８０４の判定処理で、次のキーが無い場合は、盗難検出処理８０１を終了する（ステップ８０７）。図１の具体的実施例では、マスターキーBが無いため、マスターキーBの第１サブキーとマスターキーBの第２サブキーとが盗難品であることが検出・通知される。忘れ物・盗難通報部１０７からの通報は、忘れ物・盗難検出装置１０１にスピーカーを設けて、そのスピーカーからの通報する方法でも良いし、盗難の場合には警察に通報する方法でも良い。
【００２１】
マスターキーとサブキーから構成されるRFIDタグ２０１を発行する際、キーを使用するユーザの情報（たとえば、氏名、連絡先、対象とする物品の特徴）を収集し、それをサーバで管理してもよい。また、複数の忘れ物・盗難検出装置１０１をインターネットあるいは通信回線で接続し、それを集中的にサーバで管理する構成をとってもよい。たとえば、自転車の盗難防止に本発明を適用する場合、複数の駐輪場の出入り口だけに忘れ物・盗難検出装置１０１を設置するのではなく、駐輪場周辺あるいは駐輪場から遠く離れた、駐輪場とは無関係の場所に複数台設置することで、マスターキーをもたない盗難の可能性の高い自転車を検出することができるようになる。
【産業上の利用可能性】
【００２２】
本発明の忘れ物検出方法、盗難検出方法、および忘れ物・盗難検出装置は、所有者が常に携行するとは限らない物品の盗難を容易に発見することができるため、公共の場所に預けることの多い、自転車・バイク・自動車といった乗り物の駐輪場・駐車場での監視、さらには駐輪場・駐車場以外での監視を実現できる。
【符号の説明】
【００２３】
１０１  忘れ物・盗難検出装置
１０３  RFIDタグ読取部
１０４  RFIDタグ読取結果テーブル
１０５  キー情報照合部
１０６  マスターキー情報テーブル
１０７  忘れ物・盗難通報部
２０１  RFIDタグ
５０１  マスターキー抽出処理
６０１  忘れ物検出処理
７０１  盗難検出処理
【図１】
2011238037.tif 000003
【図２】
2011238037.tif 000004
【図３】
2011238037.tif 000005
【図４】
2011238037.tif 000006
【図５】
2011238037.tif 000007
【図６】
2011238037.tif 000008
【図７】
2011238037.tif 000009
【図８】
2011238037.tif 000010